(57)【要約】【課題】レリーズタイムラグをより短縮可能なシャッタ装置および撮像装置を提供する。【解決手段】シャッタ装置は、矩形の開口が設けられた基板と、開口の第１方向に沿って移動する際に開口の一部を遮光する第１の遮光部材と、第１方向に沿って移動することにより開口を遮光する第２の遮光部材と、第１の遮光部材を回動可能に支持するとともに基板に回動可能に軸支されていて、第１の遮光部材を第１方向に移動させる第１のアームと、第２の遮光部材を回動可能に支持するとともに、開口に対して第１のアームと反対側において基板に回動可能に軸支されていて、第２の遮光部材を第１方向に移動させる第２のアームとを備える。【選択図】図２
2016090741.tif 000002
【特許請求の範囲】
【請求項１】
矩形の開口が設けられた基板と、
前記開口の第１方向に沿って移動する際に前記開口の一部を遮光する第１の遮光部材と、
前記第１方向に沿って移動することにより前記開口を遮光する第２の遮光部材と、
前記第１の遮光部材を回動可能に支持するとともに前記基板に回動可能に軸支されていて、前記第１の遮光部材を前記第１方向に移動させる第１のアームと、
前記第２の遮光部材を回動可能に支持するとともに、前記開口に対して前記第１のアームと反対側において前記基板に回動可能に軸支されていて、前記第２の遮光部材を前記第１方向に移動させる第２のアームとを備えるシャッタ装置。
【請求項２】
請求項１に記載のシャッタ装置において、
前記第１および第２のアームの各々は、前記基板に回動可能に軸支された基板側連結部と、前記遮光部材に回動可能に連結した遮光部材側連結部とを有し、
前記第１のアームの前記基板側連結部と前記遮光部材側連結部との距離は、前記第２のアームの前記基板側連結部と前記遮光部材側連結部との距離よりも短いシャッタ装置。
【請求項３】
請求項１または請求項２に記載のシャッタ装置において、
前記第１の遮光部材を前記開口外の第１位置に移動するとともに、前記第２の遮光部材を前記第１位置に移動することにより前記開口を開放状態とする駆動部をさらに備えるシャッタ装置。
【請求項４】
請求項１〜３のいずれか一項に記載のシャッタ装置において、
前記第１の遮光部材は、前記第１方向に沿った長さが前記開口の前記第１方向に沿った長さよりも短い遮光幅を有し、
前記第２の遮光部材は、前記第１位置と前記開口を遮光する第２位置との間を移動する際に前記第１方向に沿った長さが変化する遮光幅を有するシャッタ装置。
【請求項５】
請求項１〜４のいずれか一項に記載のシャッタ装置と、
前記シャッタ装置を介して被写体光を受光する撮像素子とを備える撮像装置。
【発明の詳細な説明】
【技術分野】
【０００１】
本発明は、シャッタ装置および撮像装置に関する。
【背景技術】
【０００２】
先幕遮光羽根および後幕遮光羽根を備えた、いわゆるノーマリーオープンタイプのシャッタ装置が知られている。このシャッタ装置を備えた電子カメラでは、本露光を行う前の撮影準備状態において、プレビュー画像を表示させるために、シャッタ装置の撮影開口から各遮光羽根の走行方向に沿った一方側に先幕遮光羽根を退避させ、他方側に後幕遮光羽根を退避させている（たとえば特許文献１参照）。
【先行技術文献】
【特許文献】
【０００３】
【特許文献１】特開２００８−１６４８０４号公報
【発明の概要】
【発明が解決しようとする課題】
【０００４】
上述した特許文献に記載のシャッタ装置を備えた電子カメラでは、本露光の開始前に、撮影開口から一方側に退避させていた先幕遮光羽根を他方側に向かって走行させて撮影開口を遮光し、撮像素子のリセット動作を行う。その後、先幕遮光羽根と後幕遮光羽根とを所定の時間差で一方側に向かって走行させることで撮像素子を露光する。そのため、レリーズタイムラグが長くなる。
しかしながら、レリーズタイムラグをより短縮可能なシャッタ装置についての具体的な構成については提案されていない。
【課題を解決するための手段】
【０００５】
シャッタ装置は、矩形の開口が設けられた基板と、開口の第１方向に沿って移動する際に開口の一部を遮光する第１の遮光部材と、第１方向に沿って移動することにより開口を遮光する第２の遮光部材と、第１の遮光部材を回動可能に支持するとともに基板に回動可能に軸支されていて、第１の遮光部材を第１方向に移動させる第１のアームと、第２の遮光部材を回動可能に支持するとともに、開口に対して第１のアームと反対側において基板に回動可能に軸支されていて、第２の遮光部材を第１方向に移動させる第２のアームとを備える。
撮像装置は、上記のシャッタ装置と、シャッタ装置を介して被写体光を受光する撮像素子とを備える。
【図面の簡単な説明】
【０００６】
【図１】一実施の形態による撮像装置であるデジタルカメラの要部構成を説明する図である。
【図２】シャッタ装置の内部構造を示す図である。
【図３】シャッタ装置の内部構造を示す図である。
【図４】シャッタ装置の内部構造を示す図である。
【発明を実施するための形態】
【０００７】
図面を参照して一実施の形態に係るシャッタ装置を備える撮像装置について説明する。
図１は、一実施の形態による撮像装置であるデジタルカメラ１の要部構成を説明する図である。図１に示すように、デジタルカメラ１は、カメラボディ２０と、レンズマウント９を介してカメラボディ２０に着脱可能なレンズ鏡筒１０とにより構成される、いわゆるミラーレスカメラである。なお、デジタルカメラ１は、ミラーレスカメラではなく一眼レフカメラでもよい。
【０００８】
レンズ鏡筒１０は、結像光学系１１と絞り１２とを備えている。結像光学系１１は、被写体像を所定の結像面に結像させるための光学系であり、焦点調節レンズを含む複数のレンズによって構成されている。焦点調節レンズは、レンズ駆動用モータ（不図示）の動作により光軸Ｌ方向に進退運動する。なお、図１では、図示の都合上、結像光学系１１を１枚のレンズとして模式的に示している。絞り１２は、結像光学系１１を通過する光束、すなわち入射光量を制限する。
【０００９】
カメラボディ２０内部には、シャッタ装置２１と、撮像素子２２と、制御装置２６とが設けられている。カメラボディ２０の背面には、液晶ディスプレイ等の表示デバイスにより構成される背面モニタ３０が設けられている。カメラボディ２０には、操作部４０が設けられている。
【００１０】
撮像素子２２は、行列状に多数配列された画素を有する、たとえばＣＭＯＳ等の撮像素子であり、撮像面が結像光学系１１の結像面に位置するように配置されている。撮像素子２２は、シャッタ装置２１を介して被写体光を受光する。すなわち、撮像素子２２は、結像光学系１１によりシャッタ装置２１を介して撮像面に結像された被写体像を撮像し、制御装置２６に撮像信号を出力する。なお、図１では図示を省略しているが、撮像素子２２の撮像面には、赤外カットフィルター等の種々の光学フィルターが設けられている。撮像素子２２を構成する複数の画素が画素行方向（後述する図２のＸ軸方向）と、画素行方向と直交する画素列方向（後述する図２のＹ軸方向）とに２次元上に配列され、画素列方向の異なる位置で画素行ごとに異なるタイミングで画素リセットおよび撮像信号の読み出しが行われる。
【００１１】
シャッタ装置２１は、撮像素子２２の前面（被写体側）に設けられる。シャッタ装置２１は、後述する制御装置２６の不図示の電力制御部からの駆動信号に従って、不図示の先幕アクチュエータおよび後幕アクチュエータによって駆動を行うことにより、被写体から撮像素子２２に向けて入射する光束を遮光する、いわゆるフォーカルプレンシャッタである。なお、シャッタ装置２１の詳細については、説明を後述する。
【００１２】
制御装置２６はマイクロプロセッサやその周辺回路等から構成されており、不図示の記憶媒体（たとえばフラッシュメモリ等）に予め記憶されている制御プログラムを読み込んで実行することにより、デジタルカメラ１の各部を制御する。制御装置２６は、撮像素子２２から出力された撮像信号に対して種々の画像処理を施して、被写体像の画像データを生成し、不図示の可搬記憶媒体（たとえばメモリカード等）に生成した画像データを記録する。制御装置２６は、後述するように、シャッタ装置２１および撮像素子２２の動作を制御する。制御装置２６は、シャッタ装置２１の動作を制御するための不図示の電力制御部を機能として備える。
なお、制御装置２６は、制御プログラムと同等の機能を有する電子回路により構成してもよい。
【００１３】
操作部４０はユーザによって操作される種々の操作部材に対応して設けられた種々のスイッチを含み、操作部材の操作に応じた操作信号を制御装置２６へ出力する。操作部材は、たとえばレリーズボタンや、背面モニタ３０にメニュー画面を表示させるためのメニューボタンや、各種の設定等を選択操作する時に操作される十字キー、十字キーにより選択された設定等を決定するための決定ボタン、撮影モードと再生モードとの間でデジタルカメラ１の動作を切替えるモード切替ボタン等を含む。
【００１４】
以下、本実施の形態のシャッタ装置２１の詳細について説明する。
図２、３は、撮像素子２２側、すなわち、デジタルカメラ１の背面側から見た、シャッタ装置２１の内部構造を示す図である。なお、説明の都合上、図示の通りにＸ軸およびＹ軸からなる座標系を設定する。また、図２は、レリーズボタンの操作による撮影開始の指示前のシャッタ装置２１の状態を示す図であり、後述する先幕遮光羽根２２０および後幕遮光羽根２５０がともにシャッタ開口（開口）２１５の上方の第１退避位置２０１に退避した状態を示す。図３は、ユーザによるレリーズボタンの操作が行われて、撮影開始が指示された後、先幕遮光羽根２２０が開口２１５を横切るように図示下方に向かって移動して、開口２１５の下方の第２退避位置２０２に退避した状態を示す図であり、後幕遮光羽根２５０が移動を開始する前の状態を示す。
【００１５】
シャッタ装置２１は、基板２１０と、先幕遮光羽根２２０と、後幕遮光羽根２５０と、先幕駆動アーム２２１と、先幕従動アーム２３１と、後幕駆動アーム２５１と、後幕従動アーム２６１と、不図示の先幕アクチュエータと、不図示の後幕アクチュエータとを有する。本実施の形態では、先幕アクチュエータおよび後幕アクチュエータは、たとえば、電動モータ等により構成される。
【００１６】
基板２１０はカメラボディ２０の内部に固定され、撮像素子２２を被写体光束によって露光するための開口２１５を有している。開口２１５は、Ｘ軸に沿って延在する２つの辺と、Ｙ軸に沿って延在する２つの辺とによって囲まれる矩形形状に形成される。以下、開口２１５のＹ軸−側の辺を上端２１５Ｕ、Ｙ軸＋側の辺を下端２１５Ｂ、上端２１５Ｕと下端２１５ＢとのＹ軸方向の長さをＬ０として説明する。
【００１７】
−−−先幕−−−
たとえば、図３によく示すように、先幕駆動アーム２２１は、その一端に基板側連結部２２２を有し、この基板側連結部２２２において、開口２１５の左側で基板２１０の背面（撮像素子２２側）に回動可能に軸支されている。先幕従動アーム２３１は、その一端に基板側連結部２３２を有し、この基板側連結部２３２において先幕駆動アーム２２１の図示上方、かつ、開口２１５の左側で基板２１０の背面（撮像素子２２側）に回動可能に軸支されている。先幕駆動アーム２２１は、他端に遮光部材側連結部２２３を有し、この遮光部材側連結部２２３においてかしめピンによって先幕遮光羽根２２０が回動可能に連結されている。先幕従動アーム２３１は、他端に遮光部材側連結部２３３を有し、この遮光部材側連結部２３３においてかしめピンによって先幕遮光羽根２２０が回動可能に連結されている。先幕駆動アーム２２１と先幕従動アーム２３１とは、先幕遮光羽根２２０を移動させる公知の平行リンク機構を構成する。
【００１８】
上述したように、先幕駆動アーム２２１と先幕従動アーム２３１とは公知の平行リンク機構を構成するので、図４に示すように、先幕駆動アーム２２１の基板側連結部２２２と遮光部材側連結部２２３との間の距離は、先幕従動アーム２３１の基板側連結部２３２と遮光部材側連結部２３３との間の距離に等しい。この距離をＬｆとする。
【００１９】
先幕遮光羽根２２０は、Ｘ軸に沿って延在する第１の遮光部材であり、図示左側の端部が先幕駆動アーム２２１および先幕従動アーム２３１に軸支されている。本実施の形態では、先幕遮光羽根２２０は一枚の羽根により構成される。
【００２０】
先幕駆動アーム２２１には、穴２２４が設けられ、基板２１０の長穴２４０を貫通した先幕駆動ピン２８１が紙面奥側から、すなわちデジタルカメラ１の正面側から穴２２４に挿入される。先幕駆動ピン２８１は、先幕遮光羽根２２０の駆動部であり、不図示の先幕用アクチュエータによって駆動される。先幕用アクチュエータは、制御装置２６の不図示の電力供給部からの駆動電流、すなわち電力供給を受けて駆動する。先幕用アクチュエータによって先幕駆動ピン２８１が長穴２４０に沿って駆動されると、先幕駆動アーム２２１および先幕従動アーム２３１が基板側連結部２２２および基板側連結部２３２を中心に回動される。
【００２１】
先幕駆動アーム２２１が基板側連結部２２２を中心に回転駆動されると、上述したように、先幕駆動アーム２２１と先幕従動アーム２３１と先幕遮光羽根２２０とによって構成される周知の平行リンク機構によって先幕遮光羽根２２０が駆動されて、基板２１０の開口２１５をＹ軸方向（第１方向）に移動するように構成されている。本実施の形態では、先幕遮光羽根２２０は、開口２１５外の第１の位置である第１退避位置２０１と（図２）、第１の位置に対向する開口２１５外の第２の位置である第２退避位置２０２と（図３）の間を移動可能である。なお、第１退避位置２０１と第２退避位置２０２とは、開口２１５を挟んで対向しており、第１退避位置２０１は開口２１５の図示上方に設けられ、第２退避位置２０２は開口２１５の図示下方に設けられる。図２では、先幕遮光羽根２２０は、第１退避位置２０１に移動しており、図３では、先幕遮光羽根２２０は、第２退避位置２０２に移動している。
【００２２】
上述したように、先幕遮光羽根２２０は一枚の羽根により構成されている。先幕遮光羽根２２０のＹ軸−側でＸ軸に沿って延在する辺である上端エッジ２２０Ｕ（図３）と、Ｙ軸＋側でＸ軸に沿って延在する辺である下端エッジ２２０Ｂ（図３）とのＹ軸方向（先幕遮光羽根２２０や後幕遮光羽根２５０の走行方向）に沿った長さ（遮光幅）Ｌ１は、開口２１５のＹ軸方向に沿った長さＬ０と比べて短い（小さい）。したがって、先幕遮光羽根２２０は開口２１５の一部しか覆えない構造を有する。すなわち、先幕遮光羽根２２０はその走行方向における遮光範囲が、走行方向における開口２１５の長さよりも短い構造を有する。
【００２３】
なお、本実施の形態では、先幕遮光羽根２２０は、開口２１５の背面（撮像素子２２側）を走行するものとして説明するが、開口２１５の前面（被写体側）を走行するものについても実施の形態の一態様に含まれる。また、先幕遮光羽根２２０が１枚の羽根で構成されるものに限定されず、複数の羽根で構成されていて、その複数枚の羽根による遮光領域のＹ軸方向に沿った長さが開口２１５のＹ軸方向に沿った長さＬ０と比べて短く（小さく）、開口２１５の全体を覆わないように構成されても良い。
【００２４】
−−−後幕−−−
たとえば、図３によく示すように、後幕駆動アーム２５１は、その一端に基板側連結部２５２を有し、この基板側連結部２５２において、開口２１５の右側で基板２１０の背面（撮像素子２２側）に回動可能に軸支されている。後幕従動アーム２６１は、その一端に基板側連結部２３２を有し、この基板側連結部２６２において後幕駆動アーム２５１の図示下方、かつ、開口２１５の右側で基板２１０の背面（撮像素子２２側）に回動可能に軸支されている。後幕駆動アーム２５１は、他端に複数の遮光部材側連結部２５３を有し、この遮光部材側連結部２５３においてかしめピンによって複数枚の後幕遮光羽根２５０が回動可能に連結されている。後幕従動アーム２６１は、他端に複数の遮光部材側連結部２６３を有し、この遮光部材側連結部２６３においてかしめピンによって複数枚の後幕遮光羽根２５０が回動可能に連結されている。後幕駆動アーム２５１と後幕従動アーム２６１とは、後幕遮光羽根２５０を移動させる公知の平行リンク機構を構成する。
【００２５】
上述したように、後幕駆動アーム２５１と後幕従動アーム２６１とは公知の平行リンク機構を構成するので、図４に示すように、後幕駆動アーム２５１の基板側連結部２５２と遮光部材側連結部２５３との間の距離は、後幕従動アーム２６１の基板側連結部２６２と遮光部材側連結部２６３との間の距離に等しい。図４には、後幕遮光羽根が４枚図示され、遮光部材連結部２５２，２５３も４か所ずつ設けられているため、基板側連結部２５２，２６２との距離も４種類になる。この４種類の距離のうち最も長い距離、すなわち、後幕駆動アーム２５１，２５２の遮光部材連結部２５２，２５３のうち基板側連結部２５２，２６２から最も離れている遮光部材連結部と基板側連結部との距離をＬｒとする。
【００２６】
後幕遮光羽根２５０は、Ｘ軸に沿って延在する複数枚の羽根によって構成される第２の遮光部材であり、各羽根の図示右側の端部が後幕駆動アーム２５１および後幕従動アーム２６１にそれぞれ軸支されている。
【００２７】
後幕駆動アーム２５１には、穴２５４が設けられ、基板２１０の長穴２７０を貫通した後幕駆動ピン２８２が紙面奥側から、すなわちデジタルカメラ１の正面側から穴２５４に挿入される。後幕駆動ピン２８２は、後幕遮光羽根２５０の駆動部であり、不図示の後幕用アクチュエータによって駆動される。後幕用アクチュエータは、制御装置２６の不図示の電力供給部からの駆動電流、すなわち電力供給を受けて駆動する。後幕用アクチュエータによって後幕駆動ピン２８２が長穴２７０に沿って駆動されると、後幕駆動アーム２５１および後幕従動アーム２６１が基板側連結部２５２および基板側連結部２６２を中心に回動される。
【００２８】
後幕駆動アーム２５１が基板側連結部２５２を中心に回転駆動されると、上述したように、後幕駆動アーム２５１と後幕従動アーム２６１と後幕遮光羽根２５０とによって構成される周知の平行リンク機構によって後幕遮光羽根２５０が駆動されて、基板２１０の開口２１５をＹ軸方向（第１方向）に移動するように構成されている。本実施の形態では、後幕遮光羽根２５０は、第１退避位置２０１と、開口２１５の全体を覆う遮光位置とに移動可能である。図２，３に示すように、後幕遮光羽根２５０の複数枚の羽根は、第１退避位置２０１においては互いに重なり合う。また、図示はしないが、後幕遮光羽根２５０の複数枚の羽根は、遮光位置においては展開されて開口２１５の全体を遮光する。すなわち、後幕遮光羽根２５０は、第１退避位置２０１と開口２１５を遮光する遮光位置（第２位置）との間を移動する際にＹ軸方向に沿った長さが変化する遮光幅を有する。
【００２９】
なお、本実施の形態では、後幕遮光羽根２５０は、開口２１５の背面（撮像素子２２側）を走行するものとして説明するが、開口２１５の前面（被写体側）を走行するものについても実施の形態の一態様に含まれる。また、本実施の形態では後幕遮光羽根２５０が開口２１５の全領域を遮光するものであるが、先幕遮光羽根２２０と同様に、開口２１５の一部の領域を遮光するものでも良い。この場合、後幕遮光羽根２５０は、１枚の羽根により構成されても良いし、複数枚の羽根で開口２１５の全体を覆わないように構成しても良い。
【００３０】
−−−距離Ｌｆ，Ｌｒについて−−−
上述したように、図４に示す、先幕駆動アーム２２１および先幕従動アーム２３１における距離Ｌｆは、後幕駆動アーム２５１および後幕従動アーム２６１における距離Ｌｒよりも短い。すなわち、先幕駆動アーム２２１および先幕従動アーム２３１の長さは、後幕駆動アーム２５１および後幕従動アーム２６１の長さよりも短くすることができる。その理由は、次のとおりである。後幕駆動アーム２５１および後幕従動アーム２６１には複数枚の後幕遮光羽根２５０を結合しなければならず、後幕駆動アーム２５１および後幕従動アーム２６１の延在方向に沿って複数の遮光部材側連結部２５３，２６３を設ける必要がある。
【００３１】
これに対し、先幕駆動アーム２２１および先幕従動アーム２３１に結合する先幕遮光羽根２２０が１枚だけであるので、先幕駆動アーム２２１および先幕従動アーム２３１には遮光部材側連結部２２３，２３３を１箇所だけ設ければよい。そのため、先幕駆動アーム２２１および先幕従動アーム２３１における距離Ｌｆは、後幕駆動アーム２５１および後幕従動アーム２６１における距離Ｌｒよりも短くすることができる。したがって、先幕駆動アーム２２１および先幕従動アーム２３１の長さは、後幕駆動アーム２５１および後幕従動アーム２６１の長さよりも短くすることができる。これにより、シャッタ装置２１における開口２１５の左辺と基板２１０の左端との距離Ｗｌを、開口２１５の右辺と基板２１０の右端との距離Ｗｒよりも短くすることができ、シャッタ装置２１を小型化できる。
【００３２】
−−−シャッタ装置２１の動作について−−−
このように構成されるシャッタ装置２１は、次のように動作する。ユーザによるレリーズボタンの操作前には、図２に示したように先幕遮光羽根２２０と後幕遮光羽根２５０はともに、第１退避位置２０１に位置し、撮影レンズ１１を通過した被写体光が開口２１５を介して撮像素子２２に入射する。この撮像素子２２から撮像信号が繰り返し読み出され、撮像信号に対応する画像（プレビュー画像）が背面モニタ３０に表示される、いわゆるライブビュー表示が行われる。
【００３３】
ユーザによりレリーズボタンが操作されると、制御装置２６の不図示の電力供給部は、不図示の先幕用アクチュエータに対して先幕遮光羽根２２０を走行させるための電力の供給を開始する。電力が供給されると、先幕用アクチュエータは、先幕駆動ピン２８１を長穴２４０に沿って図示時計方向に回動させる。これにより、先幕駆動アーム２２１および先幕従動アーム２３１が基板側連結部２２２および基板側連結部２３２を中心にＸＹ平面に平行な面で回転駆動されて、先幕遮光羽根２２０が第１退避位置２０１からＹ軸＋方向に走行する。先幕遮光羽根２２０の下端エッジ２２０Ｂが開口２１５内への進入を開始し、シャッタ背後の撮像素子２２の撮像面の遮光を開始する。撮像素子２２は、その遮光された領域の画素について先幕遮光羽根２２０の移動に同期して蓄積電荷をリセット（画素リセット）する。先幕遮光羽根２２０の上端エッジ２２０Ｕが、撮像素子２２の、先幕遮光羽根２２０によって遮光されていた領域を通過すると、撮像素子２２の撮像面は、上端エッジ２２０Ｕが通過した撮像領域、画素について、露光が開始され、電荷蓄積される。このようにして、先幕遮光羽根２２０が、上端エッジ２２０Ｕが開口２１５の下端２１５ＢよりもＹ軸＋側まで走行して第２退避位置２０２まで移動する（図３参照）と、撮像素子２２は、撮像面全体について、画素リセットと露光、すなわち電荷蓄積が行われる。
【００３４】
なお、制御装置２６は、先幕遮光羽根２２０のＹ軸＋方向への走行に追従（同期）させて、撮像素子２２を構成するＸ軸方向に沿った画素行ごとに画素リセットのタイミングを制御する。すなわち、制御装置２６は、撮像素子２２の先幕遮光羽根２２０で遮光された範囲を画素リセットする。
【００３５】
先幕遮光羽根２２０が走行を開始してから露光時間に相当する時間が経過すると、制御装置２６の不図示の電力制御部は不図示の後幕用アクチュエータに対して後幕遮光羽根２５０を走行させるための電力を供給する。電力が供給されると、後幕用アクチュエータは、後幕駆動ピン２８２を長穴２７０に沿って図示反時計方向に回動させる。これにより、後幕駆動アーム２５１および後幕従動アーム２６１が基板側連結部２５２および基板側連結部２６２を中心としてＸＹ平面に平行な面で回転駆動されて、後幕遮光羽根２５０が第１退避位置２０１からＹ軸＋方向に走行する。
【００３６】
このように、先幕遮光羽根２２０がＹ軸＋方向に向かって走行を開始し、露光時間に相当する時間の経過後に後幕遮光羽根２５０がＹ軸＋方向に向かって走行を開始するので、リセット後の撮像素子２２には、先幕遮光羽根２２０の上端エッジ２２０Ｕ（図３）と、後幕遮光羽根２５０の最も下方の羽根の下端との間から露光時間の間だけ被写体光が入射する。この被写体光によって撮像素子２２が露光される。
【００３７】
その後、後幕遮光羽根２５０は、開口２１５の全体を覆う遮光位置まで移動する。
制御装置２６は、撮像素子２２を制御して、Ｙ軸−側端部の画素行から順次画素読み出しを開始させる。全ての画素行からの撮像信号の読み出しが終了した後、制御装置２６は不図示の電力供給部から駆動信号を出力して、先幕アクチュエータおよび後幕アクチュエータとにより先幕遮光羽根２２０および後幕遮光羽根２５０をそれぞれＹ軸−方向へ走行させ、第１退避位置２０１に格納させて、撮影時におけるシャッタ装置２１の動作制御を終了する。
【００３８】
本実施の形態においては、上述したように先幕遮光羽根２２０と後幕遮光羽根２５０とは撮影開始まで第１退避位置２０１に格納される。このため、先幕遮光羽根２２０と後幕遮光羽根２５０とが開口２１５を挟んで対向する位置にそれぞれ格納される場合と比較して、撮影開始に伴って先幕遮光羽根２２０をチャージ位置まで走行させる必要がなくなる。したがって、レリーズタイムラグの発生を抑制する。
【００３９】
本実施の形態では、次の作用効果を奏する。
（１）  開口２１５のＹ軸方向（第１方向）に沿って移動する際に開口２１５の一部を遮光する先幕遮光羽根２２０と、Ｙ軸方向に沿って移動することにより開口２１５を遮光する後幕遮光羽根２５０と、先幕遮光羽根２２０を回動可能に支持するとともに基板２１０に回動可能に取り付けられていて、先幕遮光羽根２２０をＹ軸方向に移動させる先幕駆動アーム２２１および先幕従動アーム２３１と、後幕遮光羽根２５０を回動可能に支持するとともに、開口２１５に対して先幕駆動アーム２２１および先幕従動アーム２３１と反対側において基板２１０に回動可能に取り付けられていて、後幕遮光羽根２５０をＹ軸方向に移動させる後幕駆動アーム２５１および後幕従動アーム２６１とを備えるように構成した。これにより、撮影開始に伴って先幕遮光羽根２２０をチャージ位置まで走行させる必要がなくなり、レリーズタイムラグを短縮できる。
【００４０】
（２）  先幕遮光羽根２２０を開口２１５の一部を遮光する一枚の羽根で構成した。そして、先幕駆動アーム２２１および先幕従動アーム２３１と、後幕駆動アーム２５１および後幕従動アーム２６１とを開口２１５を挟んで互いに反対側に設けた。これにより、先幕駆動アーム２２１および先幕従動アーム２３１における距離Ｌｆを、複数の羽根が結合される後幕駆動アーム２５１および後幕従動アーム２６１における距離Ｌｒよりも短くすることができる。したがって、シャッタ装置２１における開口２１５の左辺と基板２１０の左端との距離Ｗｌを、開口２１５の右辺と基板２１０の右端との距離Ｗｒよりも短くすることができ、シャッタ装置２１およびデジタルカメラ１を小型化できる。
【００４１】
（３）  先幕遮光羽根２２０のＹ軸方向に沿った長さＬ１が、開口２１５のＹ軸方向に沿った長さＬ０と比べて短くなるように構成した。先幕遮光羽根２２０が開口２１５の全領域を遮光しないため、先幕遮光羽根２２０の面積を従来の先幕と比較して小さくすることができるので、製造コストを低減するとともに、軽量化に寄与する。さらに、先幕遮光羽根２２０の軽量化に伴って、先幕遮光羽根２２０を駆動させるための消費電力を低減させることが可能となる。さらに加えて、軽量化により先幕遮光羽根２２０の走行時の衝撃の減少により、耐久性を向上させるとともに、シャッタ装置２１の動作の静寂性を向上させることができる。
【００４２】
（４）  先幕遮光羽根２２０を走行方向の幅Ｌ１が開口２１５の長さＬ０よりも短い一枚の羽根によって構成されるようにした。したがって、複数の羽根を備える従来の先幕と比較して、先幕遮光羽根２２０を先幕駆動アーム２２１および先幕従動アーム２３１にそれぞれ取付けるためのかしめピンの個数を減らしてコスト低減に寄与するとともに、かしめ箇所を減らすことが可能となるので、生産性を向上させることができる。さらにかしめピンの個数を減らすことにより、先幕遮光羽根２２０を軽量化させ、消費電力を低減、耐久性の向上、静寂性の向上を実現できる。
なお、先幕遮光羽根２２０を複数枚の羽根により構成した場合であっても、開口２１５の全体を覆わず、その一部のみを覆うように構成すれば、すなわち、複数枚の羽根の走行方向の幅（Ｌ１に相当）が開口２１５の長さＬ０よりも短く構成すれば、開口２１５の全体を覆う構成とした従来の先幕と比較して、上述した効果を得ることができる。
【００４３】
なお、上述の説明では、先幕用アクチュエータが、電動モータ等により構成されているが、バネの付勢力によって先幕遮光羽根２２０を第２退避位置２０２に向かって走行させ、電動モータの動力によって先幕遮光羽根２２０を第１退避位置２０１へチャージするように先幕用アクチュエータが構成されていてもよい。後幕用アクチュエータについても同様である。また、先幕用アクチュエータを電動モータ等により構成し、後幕用アクチュエータをバネと電動モータとによって構成してもよい。また、先幕用アクチュエータをバネと電動モータとによって構成し、後幕用アクチュエータを電動モータ等により構成してもよい。
【００４４】
また、上述の説明では、第１退避位置２０１が開口２１５の図示上方に設けられ、第２退避位置２０２が開口２１５の図示下方に設けられているが、第１退避位置２０１が開口２１５の図示下方に設けられ、第２退避位置２０２が開口２１５の図示上方に設けられていてもよい。また、先幕遮光羽根２２０および後幕遮光羽根２５０が開口２１５をＸ軸方向に移動するように構成されている場合には、第１退避位置２０１を開口２１５の図示左方または右方のいずれか一方に設け、第２退避位置２０２を開口２１５の左方または右方のいずれか他方に設けてもよい。
また  上述した実施の形態および変形例は、それぞれ組み合わせてもよい。
【符号の説明】
【００４５】
１  デジタルカメラ、２１  シャッタ装置、２２  撮像素子、２１０  基板、２１５  開口、２２０  先幕遮光羽根、２２１  先幕駆動アーム、２２２  基板側連結部、２２３  遮光部材側連結部、２３１  先幕従動アーム、２３２  基板側連結部、２３３  遮光部材側連結部、２５０  後幕遮光羽根、２５１  後幕駆動アーム、２６１  後幕従動アーム、２８１  先幕駆動ピン、２８２  後幕駆動ピン
【図１】
2016090741.tif 000003
【図２】
2016090741.tif 000004
【図３】
2016090741.tif 000005
【図４】
2016090741.tif 000006